(57)【特許請求の範囲】
【請求項１】
裏面に碁盤の目状に所定のピッチでリブが突設されたベース床材と、内側の下端に前記リブが係合可能な係合溝が上向きに設けられた立ち上がり部材と、平面視略正方形状で立ち上がり部材と等しい断面形状を有するコーナー部材とで構成され、
リブの外側で切断されたベース部材の四方の辺に、それぞれこの辺と等しい長さの立ち上がり部材が取り付けられると共に、各立ち上がり部材の端部が臨む四方角部にコーナー部材が取り付けられることにより、所望の大きさに形成されるようになされたことを特徴とする防水パン。
【請求項２】
上記ベース床材は、表面に流れ勾配がつけられるように、裏面のリブが、ベース床材の片側から他方側に向かって漸次、その高さが変化したものであることを特徴とする請求項１記載の防水パン。
【発明の詳細な説明】
【０００１】
【発明の属する技術分野】
本発明は、主として浴室ユニットの洗い場パンとして用いられる防水パンに関し、詳しくはサイズの変更に対応し得るようにした組立式の防水パンに関する。
【０００２】
【従来の技術】
従来、この種の防水パン３０は、図８に示すように、所定位置に排水口３０ｃが設けられた床面３０ａの周囲に、立ち上がり部３０ｂが連続した受け皿容器状に、合成樹脂で一体成形されていた。
【０００３】
なお、この立ち上がり部３０ｂの上端は、断面略Ｌ字形とされ、ここに図示しない浴室ユニットの壁面パネルを載置固定するようにしていた。
【０００４】
【発明が解決しようとする課題】
上述した従来の防水パンは、合成樹脂で一体成形されていたので、製作が容易で組立ての手間も要さないが、異なるサイズのものを製造するには、それぞれに応じた異なる大きさの成形用金型を必要とした。そのため、浴室ユニットのサイズバリエーションに応じて防水パンの成形用金型も多数必要となり、しかもこの金型は、大型のため、高価であり、設備投資費が嵩むと共に、その設置にも広い面積を要するという問題点があった。
【０００５】
本発明は、上記従来の防水パンが有していた問題点の解決を課題とする。
【０００６】
【課題を解決するための手段】
上記の課題を解決するために、本発明のうち、請求項１記載の発明は、防水パンを、裏面に碁盤の目状に所定のピッチでリブが突設されたベース床材と、内側の下端に前記リブが係合可能な係合溝が上向きに設けられた立ち上がり部材と、平面視略正方形状で立ち上がり部材と等しい断面形状を有するコーナー部材とで構成し、リブの外側で切断されたベース部材の四方の辺に、それぞれこの辺と等しい長さの立ち上がり部材を取り付けると共に、各立ち上がり部材の端部が臨む四方角部にコーナー部材を取り付け、所望の大きさの防水パンが形成されるようにしたことを特徴とする。
【０００７】
請求項２記載の発明は、請求項１記載の発明の構成中、ベース床材を、表面に流れ勾配がつけられるように、裏面のリブが、ベース床材の片側から他方側に向かって漸次、その高さが変化したものと、限定したことを特徴とする。
【０００８】
【発明の実施の形態】
以下、本発明を図示した実施の形態に基づき詳細に説明する。
【０００９】
図１は、本発明の防水パン１０の一実施形態を示した裏面図、図２は、そのＸ−Ｘ線の断面図、図３は、Ｙ−Ｙ線の断面図である。図示したように、この防水パン１０は、裏面に碁盤の目状に所定のピッチでリブ１ａが突設された平面視略方形のベース床材１と、このベース床材１を囲むようにその外側に取り付けられた立ち上がり部材２，３と、ベース床材１の四方角部１ｃに取り付けられたコーナー部材４とで構成されている。
【００１０】
上記ベース床材１は、浴室ユニット（図示せず）における洗い場床面の最大のものに対応し得るような大きさに合成樹脂で一体成形されたものであり、その一側寄りには、排水口１ｂが設けられている。なお、このベース床材１の裏面に突設されたリブ１ａは、碁盤の目状に交差した箇所において、内方に凹むように形成されている。また、このリブ１ａは、その高さがベース床材１の表面が排水口１ｂ側に向かって下向きに傾斜勾配となるように、片側（図２において右側）から他方側（図２において左側）に向かって、漸次、低くなっている。
【００１１】
立ち上がり部材２，３は、所定の高さを有し、上端が断面略Ｌ字形に外側に突出すると共に、下端の内側に上記リブ１ａの厚みに応じた係合溝１ａ，３ａが上向きに設けられた横長の形状に、合成樹脂で形成されたものである。なお、両立ち上がり部材２，３は、長さが異なるだけで、その他の形状は全く同一である。
【００１２】
コーナー部材４は、平面視略正方形状で前記立ち上がり部材２，３と等しい断面形状に合成樹脂で成形されたものである。
【００１３】
上記の各部材で構成される本発明の防水パン１０は、図２並びに図３に示すように、ベース床材１の外側に立ち上がり部材２，３を、その下端に設けられた係合溝２ａ，３ａにリブ１ａを嵌め込むことにより取り付け、ベース床材１の四方の角部１ｃには、図４に示すように、コーナー部材４を前記立ち上がり部材２，３に連続するように取り付けることにより組み立てられるようになっている。
【００１４】
なお、このベース床材１と立ち上がり部材２（または３）の接合面には、図５に示すように、予め防水パッキン５，６が接着や嵌合などの適宜手段で取り付けられており、組み付けられた際に両者間の水密を図ることとしている。そして、このようにして係合溝２ａ（３ａ）にリブ１ａを嵌め込んだ状態で、ベース床材１と立ち上がり部材２（３）を、図６に示すようにねじ５で連結することにより、両者を一体的に組み付けることとしている。
【００１５】
なお、図示しないが、ベース床材１とコーナー部材４も同様に連結されるものである。
【００１６】
以上のようにして本発明の防水パン１０は、組み立てられるものである。
【００１７】
なお、上記では、接合部分に設けられた防水パッキン５，６で防水パン１０からの水漏れを防止するようにした例を示したが、必要に応じてシーリング剤などを併用して水漏れを防止するようにしても良く、このようにすれば、より一層、その水密性が向上することとなり、望ましい。
【００１８】
また、本発明の防水パン１０は、上記のようにして組み立てられるようになっているので、浴室ユニット（図示せず）のサイズなどに応じて、図７に示すような小さな防水パン２０を必要とする場合には、そのサイズに応じて図１に示したベース床材１をその太枠線で囲んだ位置で切断すれば良く、このようにしても、新たに形成されたベース床材１Ａの周囲に位置したリブ１ａが、上記の場合と全く同様に、立ち上がり部材２，３やコーナー部材４の係合溝２ａ，３ａに係合するので、同様に組み立てられるものである。
【００１９】
図７は、このようにして組み立てられた本発明の第二の実施形態の防水パン２０を示す。
【００２０】
なお、上記の場合、ベース床材１Ａの外側に取り付けられる立ち上がり部材２Ａ，３Ａは、このベース床材１Ａの各辺の長さに対応するように、予めこの辺と等しい寸法に形成され、あるいは切断して形成しておくこととする。
【００２１】
以上のようにして、本発明の防水パンでは、ベース床材１の裏面に突設されたリブ１ａのピッチ間隔に応じて必要な大きさのものが、簡単に形成されるものである。
【００２２】
なお、図示した実施の形態では、ベース床材１の裏面に設けられるリブ１ａの高さを、その一方から他方に向かって次第に変化させることにより、ベース床材１の表面に、流れ勾配がつけられるようにしたものを例示したが、防水パン１０（または２０）の設置個所が予め傾斜していたり、あるいは排水口１ｂが、その一方の側に設けられていない場合には、リブ１ａは、一定の高さのものであっても良い。
【００２３】
【発明の効果】
以上説明したように、本発明の請求項１記載の防水パンは、ベース床材を切断することにより、任意の大きさのものを形成することができるので、従来のように防水パンのサイズに応じた複数の成形用金型を準備する必要がなく、金型にかかる設備投資費が削減されると共に、金型を設置保管するための付帯設備も従来のように大掛かりにならないという効果がある。また、リブのピッチ間隔に応じて防水パンのサイズを細かく設定できるので、浴室ユニットのサイズバリエーションの多様化にも容易に対応できるという効果もある。
【００２４】
また、請求項２記載の発明では、ベース床材の裏面に突設されるリブの高さを、その一方から他方に向かって漸次、変化させているので、ベース床材の表面が一方に傾斜することとなり、このベース床材を用いて組み立てられた防水パンに自動的に流れ勾配がつけられるという効果がある。
【図面の簡単な説明】
【図１】本発明に係る防水パンの一実施形態を示した裏面図である。
【図２】図１のＸ−Ｘ線の断面図である。
【図３】図１のＹ−Ｙ線の断面図である。
【図４】防水パンの角部の拡大断面図である。
【図５】防水パンの組立説明図である。
【図６】防水パンの組立状態の要部断面図である。
【図７】防水パンの第二の実施形態を示した裏面図である。
【図８】防水パンの従来例を示した斜視図である。
【符号の説明】
１０，２０  防水パン
１  ベース床材
１ａ  リブ
１ｂ  排水口
１ｃ  角部
２，３  立ち上がり部材
２ａ，３ａ  係合溝
４  コーナー部材
５，６  防水パッキン
７  ねじ
【図１】
0004719389.tif 000002
【図２】
0004719389.tif 000003
【図３】
0004719389.tif 000004
【図４】
0004719389.tif 000005
【図５】
0004719389.tif 000006
【図６】
0004719389.tif 000007
【図７】
0004719389.tif 000008
【図８】
0004719389.tif 000009